(57)【要約】【課題】層状に支持した複数のユニットフロアを一斉に揚重できるようにする。【解決手段】複数のユニットフロア１を層状に支持し、支持したユニットフロア１を揚重するユニットフロアの揚重装置であって、ユニットフロア１が載せられる受桁４０と、複数のユニットフロア１を層状に受桁４０を介して支持する固定柱２０と、昇降可能に設けられ、複数のユニットフロア１を層状に受桁４０を介して支持して上昇する移動柱３０と、固定柱２０及び移動柱３０に上下方向に間隔を空けて設けられた複数のピン２６、３３と、受桁４０に可動に取付けられ、受桁４０をピン２６に支持させる支持位置と、ピン２６と上下に重ならない退避位置とに変位するフック４２と、受桁４０に可動に取付けられ、受桁４０をピン３３に支持させる支持位置と、ピン３３と上下に重ならない退避位置とに変位するフック４４とを備える。【選択図】図８
2013221362.tif 000002
【特許請求の範囲】
【請求項１】
複数のユニットフロアを層状に支持し、支持したユニットフロアを揚重するユニットフロアの揚重装置であって、
ユニットフロアが載せられる受材と、
前記複数のユニットフロアを層状に前記受材を介して支持する固定柱と、
昇降可能に設けられ、前記複数のユニットフロアを層状に前記受材を介して支持して上昇する移動柱と、
前記固定柱に上下方向に間隔を空けて設けられた複数の第一の支持部と、
前記移動柱に上下方向に間隔を空けて設けられた複数の第二の支持部と、
前記受材に可動に取付けられ、前記受材を前記第一の支持部に支持させる支持位置と、前記第一の支持部と上下に重ならない退避位置とに変位する第一の可動部と、
前記受材に可動に取付けられ、前記受材を前記第二の支持部に支持させる支持位置と、前記第二の支持部と上下に重ならない退避位置とに変位する第二の可動部と、
を備えるユニットフロアの揚重装置。
【請求項２】
前記移動柱を昇降させるジャッキを備える請求項１に記載のユニットフロアの揚重装置。
【請求項３】
前記第一の可動部及び前記第二の可動部は、前記受材に回動可能に取り付けられたフックであり、
前記第一の支持部及び前記第二の支持部は、前記移動柱又は前記固定柱に固定され前記フックが掛かるピンである請求項１又は請求項２に記載のユニットフロアの揚重装置。
【請求項４】
前記受材に設けられ、前記フックの前記ピンから外れる方向への回動を止めることにより前記フックを前記支持位置に位置させる回り止め部を備え、
前記フックは、前記移動柱が昇降する際に上側の前記ピンにより前記退避位置へ回動される請求項３に記載のユニットフロアの揚重装置。
【請求項５】
前記フックは自重で前記回り止め部に近づく方向に回動するように構成されている請求項４に記載のユニットフロアの揚重装置。
【発明の詳細な説明】
【技術分野】
【０００１】
本発明は、ユニットフロアの揚重装置に関する。
【背景技術】
【０００２】
デッキや小梁や配管等の設備をユニット化したユニットフロアを揚重して層状にストックするユニットフロアの揚重装置が知られている（例えば、特許文献１参照）。特許文献１に記載のユニットフロアの揚重装置では、ユニットフロアが、フレームの頂部に設置されたチェーンブロックにより揚重される。ここで、フレームの支柱には、荷重受けアームが回動可能に設けられており、ユニットフロアが上昇する際には荷重受けアームがユニットフロアの上昇路から退避し、ユニットフロアが上昇した後に荷重受けアームがユニットフロアの荷重を受ける位置に戻る。
【先行技術文献】
【特許文献】
【０００３】
【特許文献１】特開２００９−２４９９８０号公報
【発明の概要】
【発明が解決しようとする課題】
【０００４】
特許文献１に記載のユニットフロアの揚重装置では、ユニットフロアを１ユニットずつ揚重させなければならず、複数のユニットフロアを一斉に上昇させることはできない。
【０００５】
本発明は、上記事情に鑑みてなされたものであり、層状に支持した複数のユニットフロアを一斉に揚重することができるユニットフロアの揚重装置を提供することを課題とするものである。
【課題を解決するための手段】
【０００６】
上記課題を解決するために、本発明に係るユニットフロアの揚重装置は、複数のユニットフロアを層状に支持し、支持したユニットフロアを揚重するユニットフロアの揚重装置であって、ユニットフロアが載せられる受材と、前記複数のユニットフロアを層状に前記受材を介して支持する固定柱と、昇降可能に設けられ、前記複数のユニットフロアを層状に前記受材を介して支持して上昇する移動柱と、前記固定柱に上下方向に間隔を空けて設けられた複数の第一の支持部と、前記移動柱に上下方向に間隔を空けて設けられた複数の第二の支持部と、前記受材に可動に取付けられ、前記受材を前記第一の支持部に支持させる支持位置と、前記第一の支持部と上下に重ならない退避位置とに変位する第一の可動部と、前記受材に可動に取付けられ、前記受材を前記第二の支持部に支持させる支持位置と、前記第二の支持部と上下に重ならない退避位置とに変位する第二の可動部と、を備える。
【０００７】
前記ユニットフロアの揚重装置は、前記移動柱を昇降させるジャッキを備えてもよい。
【０００８】
前記ユニットフロアの揚重装置において、前記第一の可動部及び前記第二の可動部は、前記受材に回動可能に取り付けられたフックであってもよく、前記第一の支持部及び前記第二の支持部は、前記移動柱又は前記固定柱に固定され前記フックが掛かるピンであってもよい。
【０００９】
前記ユニットフロアの揚重装置は、前記受材に設けられ、前記フックの前記ピンから外れる方向への回動を止めることにより前記フックを前記支持位置に位置させる回り止め部を備えてもよく、前記フックは、前記移動柱が昇降する際に上側の前記ピンにより前記退避位置へ回動されてもよい。また、前記フックは自重で前記回り止め部に近づく方向に回動するように構成されてもよい。
【発明の効果】
【００１０】
本発明によれば、層状に支持した複数のユニットフロアを一斉に揚重することができる。
【図面の簡単な説明】
【００１１】
【図１】一実施形態に係るユニットフロアの揚重装置を示す立面図である。
【図２】一実施形態に係るユニットフロアの揚重装置を示す立面図（図１の２矢視図）である。
【図３】一実施形態に係るユニットフロアの揚重装置を示す平面図である。
【図４】固定柱、移動柱及び受桁の長手方向一端部を拡大して示す平断面図である。
【図５】図４の５矢視図である。移動柱３０が上昇している状態を示している。
【図６】移動柱３０が上昇している状態を示す立断面図である。
【図７】ユニットフロアの施工手順を示す立断面図である。
【図８】ユニットフロアの施工手順を示す立断面図である。
【図９】ユニットフロアの施工手順を示す立断面図である。
【図１０】ユニットフロアの施工手順を示す立断面図である。
【図１１】ユニットフロアの施工手順を示す立断面図である。
【図１２】ユニットフロアの施工手順を示す立断面図である。
【図１３】ユニットフロアの施工手順を示す立断面図である。
【図１４】ユニットフロアの施工手順を示す立断面図である。
【発明を実施するための形態】
【００１２】
以下、本発明の一実施形態を、図面を参照しながら説明する。図１は、一実施形態に係るユニットフロア１の揚重装置１０を示す立面図であり、図２は、該揚重装置１０を示す立面図（図１の２矢視図）であり、図３は、該揚重装置１０を示す平面図である。これらの図に示すように、揚重装置１０は、建設中の建物２内に設置されており、平面視にて矩形状のユニットフロア１を揚重して層状にストックする。
【００１３】
揚重装置１０は、建物２内で鉛直方向に延びる平面視にて矩形状の空間３に設置されており、各階のフロアレベルにおいて壁つなぎ４により建物２の躯体に接続されている。また、揚重装置１０が設置された空間３には、仮設エレベータ５と足場６とが設置されている。足場６は、揚重装置１０を囲むように設置されている。なお、図２及び図３では足場６の図示を省略している。
【００１４】
揚重装置１０は、平面視にて矩形状の空間の４隅に夫々配された４本の固定柱２０と、夫々各固定柱２０に対応して配された４本の移動柱３０（図２及び図３参照）と、各層に一対ずつ複数層に重ねて配された複数対の受桁４０と、揚重装置１０を支持する架台５０とを備えている。固定柱２０は、壁つなぎ４により建物２の躯体に接続されている。また、各固定柱２０は、各移動柱３０を昇降可能に収容している。
【００１５】
各層の一対の受桁４０は、図２の左右の固定柱２０に掛け渡されており、各層の一対の受桁４０の上にユニットフロア１が載置される。各ユニットフロア１は、複数の平行な小梁７の上にデッキ８が張られた構成であり、小梁７が受桁４０と直交するように、各層の一対の受桁４０の上に載置される（図２及び図３参照）。
【００１６】
架台５０は、夫々各固定柱２０の直下に配された４本の柱５２と、４本の柱５２の上下を結合する複数の梁５４と、夫々各移動柱３０の直下に配された油圧ジャッキ５６（図２参照）とを備えている。油圧ジャッキ５６は、移動柱３０を支持しており、伸長することにより移動柱３０を上昇させ、収縮することにより移動柱３０を下降させる。
【００１７】
ここで、移動柱３０が油圧ジャッキ５６により上昇されると、固定柱２０により支持されていた受桁４０及びその上のユニットフロア１が上昇し、その後、受桁４０及びその上のユニットフロア１が固定柱２０により支持されるが、そのための構成について以下説明する。
【００１８】
図４は、固定柱２０、移動柱３０及び受桁４０の長手方向一端部を拡大して示す平断面図であり、図５は、図４の５矢視図である。また、図６は、移動柱３０が上昇している状態を示す立断面図である。
【００１９】
図４に示すように、固定柱２０は、一対の側板２１が断面形状がＨ字状のフレーム２２で結合された構成である。一対の側板２１はフレーム２２から受桁４０側へ張り出しており、一対の側板２１とフレーム２２と受桁４０とに囲まれた空間に移動柱３０が配されている。また、一対の側板２１とフレーム２２と受桁４０とに囲まれた空間には、各層一対の複数対のガイドローラ２３、２４が配されている。一方のガイドローラ２３は、一方の側板２１に取付けられ、他方のガイドローラ２４は、他方の側板２１に取付けられている。ガイドローラ２３は、側板２１と直交する軸の周りに回転可能に配されており、ガイドローラ２４は、ガイドローラ２３の回転軸と直交する軸の周りに回転可能に配されている。
【００２０】
移動柱３０は、一対の側板３１が断面形状がＨ字状のフレーム３２で結合された構成である。一対の側板３１はフレーム３２から受桁４０側へ張り出している。ここで、ガイドローラ２３、２４は、フレーム３２のウェブ３２Ａを挟んで対向するように配されている。また、ガイドローラ２３は、その周面が一対のフランジ３２Ｂに当接するように配され、ガイドローラ２４は、その周面がウェブ３２Ａに当接するように配されており、ガイドローラ２３、２４により、移動柱３０の昇降がガイドされる。
【００２１】
受桁４０の長手方向一端部には、一対のフック４２と、一対のフック４２の間に配されたフック４４とが設けられている。一対のフック４２及びフック４４は、受桁４０の長手方向一端部に固定されたピン４６に回動可能に支持されている。このピン４６は、受桁４０の長手方向に対して直交するように配されており、一対のフック４２及びフック４４は、受桁４０の長手方向に対して直交する軸の周りに回動可能に、受桁４０の長手方向一端部に支持されている。
【００２２】
固定柱２０の各側板２１には、フック４２の先端が入り込むコ字状のブラケット２５が設けられており、ブラケット２５には、フック４２を掛けるためのピン２６が固定されている。また、移動柱３０の一対の側板３１には、フック４４を掛けるためのピン３３が固定されている。ピン２６、３３は、フック４２、４４の回転軸と平行である。
【００２３】
図５及び図６に示すように、フック４２、４４は、回動軸を境に屈曲している。フック４２、４４の回動軸から固定柱２０及び移動柱３０側へ延びる係合部４２Ａ、４４Ａの先端下部には、ピン２６又はピン３３に係合するための円弧状の凹部４２Ｂ、４４Ｂが形成されている。また、受桁４０の一端部には、ピン４６が固定される側板４７が設けられており、この側板４７には、フック４２、４４の回り止めをするストッパ４８が設けられている。このストッパ４８は、フック４２、４４が図中反時計周り方向に回動して係合部４２Ａ、４４Ａの姿勢が水平になると該係合部４２Ａ、４４Ａの上部に当接して、フック４２、４４の図中反時計周り方向への回動を阻止する。この状態で、フック４２、４４の凹部４２Ｂ、４４Ｂが、ピン２６又はピン３３に係合可能である。
【００２４】
ピン２６、３３は等間隔で配されており、ピン２６の間隔とピン３３の間隔とは同一に設定されている。また、移動柱３０が下降した状態で、ピン２６、３３の高さが異なるように設定されている。
【００２５】
また、フック４２、４４は、係合部４２Ａ、４４Ａよりもその反対側の方が重量が大きくなるように、重量のバランスが設定されている。このため、フック４２、４４は、係合部４２Ａ、４４Ａを下げるような力を受けない限り、係合部４２Ａ、４４Ａをストッパ４８に圧接させた状態、即ち、係合部４２Ａ、４４Ａが水平となる姿勢に維持される。
【００２６】
図７〜図１４は、ユニットフロア１の施工手順を示す立断面図である。図７に示すように、建物２の１階には、移動台車９の走行レール１１を揚重装置１０の外から中に延びるように設置し、移動台車９で一対の受桁４０及びユニットフロア１を揚重装置１０の最下層に搬入する。また、建物２の１階には、天井クレーン１２を設置し、該天井クレーン１２でユニットフロア１に組み付ける資材等を揚重装置１０内に搬入する。
【００２７】
揚重装置１０内では、ユニットフロア１を層状にストックして、耐火被覆を施工したり、配管等の設備を取付けたりして順次ユニットフロア１を完成させていく。そして、最上層のユニットフロア１をクレーンで建物２内の設置個所へ搬送する。また、最上層の受桁４０をクレーンで建物２の１階まで降ろす。そして、最上層のユニットフロア１が揚重装置１０から搬出されると、層状にストックしているユニットフロア１を一斉に上昇させ、新たに組立て途中のユニットフロア１を最下層に搬入する。
【００２８】
ここで、揚重装置１０内に搬入したユニットフロア１を層状にストックする際や、揚重装置１０内に層状にストックした複数のユニットフロア１を揚重する際には、油圧ジャッキ５６で移動柱３０を昇降させる。以下、ユニットフロア１を揚重する際の手順について説明する。
【００２９】
図８に示すように、各層のユニットフロア１は、両側の固定柱２０に支持された受桁４０上に載置される。ここで、受桁４０の両端に回動可能に設けられた固定柱２０用のフック４２が、固定柱２０に設けられたピン２６に掛かった状態で、ストッパ４８によりピン２６から外れる方向への回動を阻止されることにより、各層の受桁４０及びその上のユニットフロア１が固定柱２０により支持される。また、受桁４０の両端に回動可能に設けられた移動柱３０用のフック４４は、自重によりストッパ４８に圧接した状態で待機する。
【００３０】
そして、図９に示すように、油圧ジャッキ５６により移動柱３０が上昇されると、移動柱３０用のフック４４が、移動柱３０に設けられたピン３３に掛かり、この状態で、ストッパ４８によりピン３３から外れる方向への回動を阻止されることにより、受桁４０及びその上のユニットフロア１が移動柱３０により支持される。これにより、複数層のユニットフロア１が、一斉に上昇する。
【００３１】
そして、図１０に示すように、受桁４０が移動柱３０により上昇されると、固定柱２０用のフック４２が、ピン２６から外れた後、上側のピン２６により係合部４２Ａが下がる向きに回動される。これにより、フック４２を上側のピン２６より上側まで移動させることができ、受桁４０を上の層に上昇させることができる。
【００３２】
そして、図１１に示すように、固定柱２０用のフック４２が、上側のピン２６を通過するまで、油圧ジャッキ５６により移動柱３０を上昇させると、固定柱２０用のフック４２が、自重により係合部４２Ａが水平になるように回動する。そして、図１２に示すように、油圧ジャッキ５６により移動柱３０を下降させる。これにより、固定柱２０用のフック４２が、上側のピン２６に掛かり、ストッパ４８によりピン２６から外れる方向への回動を阻止され、各層の受桁４０及びその上のユニットフロア１が固定柱２０により支持される。
【００３３】
そして、図１３に示すように、受桁４０が移動柱３０により下降されると、移動柱３０用のフック４４が、ピン３３から外れた後、上側のピン３３により係合部４４Ａが下がる向きに回動される。これにより、ピン３３を下側のフック４４よりも下側まで移動させることができ、移動柱３０を元の位置まで下降させることができる。
【００３４】
そして、図１４に示すように、ピン３３が下側の移動柱３０用のフック４４を通過するまで、油圧ジャッキ５６により移動柱３０を下降させると、移動柱３０用のフック４４が、自重により係合部４４Ａが水平になるように回動する。
【００３５】
以上説明したように、本実施形態に係る揚重装置１０では、複数のユニットフロア１を層状に受桁４０を介して支持する固定柱２０と、複数のユニットフロア１を層状に受桁４０を介して支持して上昇する移動柱３０とを設け、固定柱２０と移動柱３０とに夫々上下方向に所定間隔で複数のピン２６、３３を設け、受桁４０の両端にピン２６又はピン３３に掛かるフック４２、４４を回動可能に設けた。ここで、フック４２、４４は、受桁４０をピン２６又はピン３３に支持させる支持位置と、ピン２６又はピン３３と上下に重ならない退避位置とに変位するように構成した。これにより、固定柱２０用のフック４２を支持位置に位置させることにより、複数のユニットフロア１を固定柱２０に層状に支持させることができる。また、移動柱３０用のフック４４を支持位置に位置させ、固定柱２０用のフック４２を退避位置に位置させた状態で移動柱３０を上昇させることにより、ユニットフロア１を上層へ揚重することができ、その後、固定柱２０用のフック４２を支持位置に位置させ、移動柱３０用のフック４４を退避位置に位置させた状態で移動柱３０を下降させることにより、上層へ揚重されたユニットフロア１を固定柱２０に支持させることができる。従って、層状にストックした複数のユニットフロア１を一斉に揚重することができ、ユニットフロア１の生産性を向上させることができる。
【００３６】
また、本実施形態に係るユニットフロア１の揚重装置１０では、層状にストックした複数のユニットフロア１を、油圧ジャッキ５６で移動柱３０を昇降させることにより揚重するように構成した。即ち、ウインチやチェーンブロック等の揚重装置に比して揚重能力が高い油圧ジャッキ５６を用いたことにより、複数のユニットフロア１を一斉に揚重することを容易になし得る。
【００３７】
また、本実施形態に係るユニットフロア１の揚重装置１０では、フック４２、４４がピン２６又はピン３３に掛かったり外れたりするという簡易な機構により、ユニットフロア１を固定柱２０に支持させたり移動柱３０に上昇させたりすることを可能にした。従って、コストを抑えつつユニットフロア１の生産性を向上させることができる。
【００３８】
また、本実施形態に係るユニットフロア１の揚重装置１０では、受桁４０に設けたストッパ４８が、フック４２、４４のピン２６又はピン３３から外れる方向への回動を止めることにより、受桁４０がピン２６又はピン３３に支持される。また、受桁４０が上昇する際、固定柱２０用のフック４２は、上側のピン２６に押されることによりピン２６と上下に重ならない位置に退避され、受桁４０が下降する際、移動柱３０用のフック４４は、上側のピン３３に押されることによりピン３３と上下に重ならない位置に退避される。
【００３９】
ここで、フック４２、４４は自重でストッパ４８に当接するように構成されている。従って、バネ等を用いない簡易な機構により、フック４２、４４を、受桁４０を固定柱２０又は移動柱３０に支持させる位置に移動させることができるため、コストを抑えることができる。
【００４０】
なお、上述の実施形態は、本発明の理解を容易にするためのものであり、本発明を限定するものではない。本発明はその趣旨を逸脱することなく、変更、改良され得ると共に本発明にはその等価物が含まれることは勿論である。例えば、上述の実施形態では、ユニットフロア１を固定柱２０に支持させたり移動柱３０に上昇させたりするための機構を、フック４２、４４とピン２６、３３とで構成したが、例えば、受桁４０から直線的に突出されたり戻されたりして固定柱２０や移動柱３０に設けられた凸部に載ったり該凸部から退避したりする機構等も適用できる。
【００４１】
また、上述の実施形態では、移動柱３０を油圧ジャッキ５６により昇降させたが、移動柱３０をウインチやチェーンブロック等により昇降させる等してもよい。さらに、上述の実施形態では、フック４２、４４が自重によりストッパ４８に当接するように構成したが、バネで圧接させてもよい。
【符号の説明】
【００４２】
１  ユニットフロア、２  建物、３  空間、４  壁つなぎ、５  仮設エレベータ、６  足場、７  小梁、８  デッキ、９  移動台車、１０  揚重装置、１１  走行レール、１２  天井クレーン、２０  固定柱、２１  側板、２２  フレーム、２３、２４  ガイドローラ、２５  ブラケット、２６  ピン（第一の支持部）、３０  移動柱、３１  側板、３２  フレーム、３２Ａ  ウェブ、３２Ｂ  フランジ、３３  ピン（第二の支持部）、４０  受桁（受材）、４２  フック（第一の可動部）、４２Ａ  係合部、４２Ｂ  凹部、４４  フック（第二の可動部）、４４Ａ  係合部、４４Ｂ  凹部、４６  ピン、４７  側板、４８  ストッパ（回り止め部）、５０  架台、５２  柱、５４  梁、５６  油圧ジャッキ
【図１】
2013221362.tif 000003
【図２】
2013221362.tif 000004
【図３】
2013221362.tif 000005
【図４】
2013221362.tif 000006
【図５】
2013221362.tif 000007
【図６】
2013221362.tif 000008
【図７】
2013221362.tif 000009
【図８】
2013221362.tif 000010
【図９】
2013221362.tif 000011
【図１０】
2013221362.tif 000012
【図１１】
2013221362.tif 000013
【図１２】
2013221362.tif 000014
【図１３】
2013221362.tif 000015
【図１４】
2013221362.tif 000016